(57)【要約】【課題】本発明の課題は、鍵が筐体外にさらされることがなく、解読されたコンテンツの信号が筐体外に出ないことにより容易に不正コピーの抑止を実現できる蓄積システムを提供することにある。【解決手段】本発明は、暗号化されたコンテンツの信号が記録できると共にＩＤの信号が記録された記録媒体１１と、記録媒体１１に電磁的に信号を記録再生できるヘッド１２と、ヘッド１２を所定の位置に移動できる機構を有する磁気ディスク装置と、記録媒体１１から暗号化されたコンテンツの信号とＩＤの信号を抽出する信号制御部１４と、信号制御部１４からのＩＤの信号と予め取得した暗号の鍵との相互作用により所定の媒体からの暗号化されたコンテンツの信号を解読する鍵制御部１６と、鍵制御部１６で解読された映像信号を復調してアナログ信号を表示部に出力する映像復調部１８とが同一の筐体２０内に設けられる。【選択図】　　図１
2004118975.tif 000002
【特許請求の範囲】
【請求項１】
暗号化されたコンテンツの信号が記録できると共にＩＤの信号が記録された媒体と、該媒体に電磁的に信号を記録再生できるヘッドと、該ヘッドを所定の位置に移動できる機構を有する磁気ディスク装置と、
前記媒体から暗号化されたコンテンツの信号とＩＤの信号を抽出する信号制御部と、
該信号制御部からのＩＤの信号と予め取得した暗号の鍵との相互作用により所定の媒体からの暗号化されたコンテンツの信号を解読する鍵制御部と、
該鍵制御部で解読された映像信号を復調してアナログ信号を表示部に出力する映像復調部とが同一の筐体内に設けられることを特徴とする蓄積システム。
【請求項２】
請求項１記載の蓄積システムにおいて、鍵制御部として解読されたコンテンツの信号の圧縮を解く回路を含むことを特徴とする蓄積システム。
【請求項３】
請求項１又は２記載の蓄積システムにおいて、筐体を開放すると、媒体の記録再生が行えなくなることを特徴とする蓄積システム。
【請求項４】
請求項１、２又は３記載の蓄積システムにおいて、ヘッドのヘッド部もしくはジンバル部を筐体に接続部で接続し、筐体を開放するとヘッドが移動して媒体の記録再生が行えなくなることを特徴とする蓄積システム。
【発明の詳細な説明】
【０００１】
【発明の属する技術分野】
本発明は、例えば映像、音楽などの大容量のコンテンツを暗号を用いて安全に蓄積し、外部からの不正なアクセスにより暗号化されたコンテンツを解読することが不可能にせしめる蓄積システムに関するものである。
【０００２】
【従来の技術】
磁気ディスクの大容量化に伴い、安価で使いやすい蓄積装置としての地位はますます強くなってきている。従来はコンピュータデータの主たる蓄積装置であったが、近年は音楽や映像などの大容量のコンテンツの蓄積にまでその応用範囲が広がってきている。また、コンテンツがデジタル化されコピーや移動が安価で手軽に行えることになったことにより、不正な使用が顕在化してきている。さらに最近は磁気ディスク内蔵の録画装置が売り出され、この録画装置を用いた新しいサービスも検討されている。これらのサービスにおいてコンテンツの不正コピーなどを防ぐ目的から、送り手においてコンテンツを暗号化し、蓄積装置を内蔵した受信装置において鍵を用いて暗号を解く方法が考えられている。ここで最も重要になるのはコンテンツの暗号を解く鍵が外部にさらされることである。暗号の強度をいくら上げたとしても、蓄積装置を内蔵した受信装置までにその暗号を解く鍵が盗まれるとコンテンツは簡単にコピーされてしまうからである。現在の衛星デジタル放送では放送という特定の環境が保証されているため、カードに鍵の元になる信号を記録しておき、それをベースに送られてくる暗号化されたコンテンツを解く方法などが使われている。しかし厳密に見るとこの方法でもカードと回路あるいは蓄積装置との間で鍵のやり取りが行われるため、そこが一種のセキュリティホールになることが指摘されている。またデジタル化されている信号は通常何らかの圧縮が行われているため、まず暗号を解き、その後圧縮を解く回路にコンテンツ信号が送られる。ここでも生のコンテンツ信号が盗まれる可能性がある。
【０００３】
このようなデータのセキュリティに関係する公知文献として、特許文献１のデータ記録再生装置及びセキュリティ管理方法、特許文献２のデータセキュリティ装置、及び特許文献３のネットワークに直接接続可能なディスク装置があるが、いずれも磁気ディスクのコントローラへのアクセスを安全にするもので、磁気ディスクそのものを安全にするものではない。
【０００４】
【特許文献１】
特開平１０−９７４６８号公報
【特許文献２】
特開平８−１８５３４９号公報
【特許文献３】
特開２０００−３４７８０８号公報
【発明が解決しようとする課題】
本発明は上記の事情に鑑みてなされたもので、予め暗号の鍵を取得して暗号化されたコンテンツの信号を解読する鍵制御部を磁気ディスク装置と同一筐体内に設け、筐体を開放すると媒体の記録再生が行えなくなるようにすることにより、鍵が筐体外にさらされることがなく、解読されたコンテンツの信号が筐体外に出ないことにより容易に不正コピーの抑止を実現できる蓄積システムを提供することを目的とする。
【０００５】
【課題を解決するための手段】
上記目的を達成するために本発明の蓄積システムは、暗号化されたコンテンツの信号が記録できると共にＩＤの信号が記録された媒体と、該媒体に電磁的に信号を記録再生できるヘッドと、該ヘッドを所定の位置に移動できる機構を有する磁気ディスク装置と、前記媒体から暗号化されたコンテンツの信号とＩＤの信号を抽出する信号制御部と、該信号制御部からのＩＤの信号と予め取得した暗号の鍵との相互作用により所定の媒体からの暗号化されたコンテンツの信号を解読する鍵制御部と、該鍵制御部で解読された映像信号を復調してアナログ信号を表示部に出力する映像復調部とが同一の筐体内に設けられることを特徴とするものである。
【０００６】
また本発明は、前記蓄積システムにおいて、鍵制御部として解読されたコンテンツの信号の圧縮を解く回路を含むことを特徴とするものである。
【０００７】
また本発明は、前記蓄積システムにおいて、筐体を開放すると、媒体の記録再生が行えなくなることを特徴とするものである。
【０００８】
また本発明は、前記蓄積システムにおいて、ヘッドのヘッド部もしくはジンバル部を筐体に接続部で接続し、筐体を開放するとヘッドが移動して媒体の記録再生が行えなくなることを特徴とするものである。
【０００９】
【発明の実施の形態】
以下図面を参照して本発明の実施の形態例を詳細に説明する。
【００１０】
図１は本発明の実施形態例に係る蓄積システムを示す構成説明図である。１１は例えば磁気ディスク等の記録媒体であり、この記録媒体１１には暗号化されたコンテンツの信号が記録されると共にＩＤの信号が記録される。コンテンツを発信する側である、プロバイダーにおいては自らのコンテンツの不正使用を防止するため、一定の決まりに基づいてコンテンツの信号に暗号化がされている。蓄積装置を内蔵した受信装置においてこの暗号化されたコンテンツの信号を受信した後、そのまま記録媒体１１に記録される。また記録媒体１１には個別の装置毎に再生を制御するためのＩＤの信号が例えば磁気ディスク装置に用いられているサーボ信号の一部に重畳するなどの方法により容易に消去あるいは書き換えができないように記録される。１２は記録媒体１１に電磁的に信号を記録再生できるヘッド部及びジンバル部よりなるヘッドであり、このヘッド１２には所定の位置に移動できるヘッド移動機構（図示せず）が設けられる。このヘッド移動機構、記録媒体１１、及びヘッド１２より磁気ディスク装置が構成される。前記ヘッド１２には第１のインターフェース１３を介して信号制御部１４が接続される。信号制御部１４では記録媒体１１からの暗号化されたコンテンツの信号とＩＤの信号が抽出され、第２のインターフェース１５を介して鍵制御部１６に出力される。鍵制御部１６は信号制御部１４からの記録媒体１１のＩＤの信号と予め取得した暗号の鍵との相互作用により所定の記録媒体１１からの暗号化されたコンテンツの信号を解読して復号化する。暗号化においてはあらかじめ決められたアルゴリズムが鍵制御部１６にあり、コンテンツに重畳あるいは別の手段によって送られてきた鍵の信号と受け手の記録媒体１１からのＩＤの信号との相互作用により正しく視聴が許可された磁気ディスク装置の記録媒体１１でのみ再生を実現するものである。鍵制御部１６には鍵のやり取りをする回路及びコンテンツの信号の圧縮を解く回路が含まれる。コンテンツの信号が映像を示す信号の場合は、鍵制御部１６で暗号を解読した後圧縮を解いたコンテンツの映像信号が第３のインターフェース１７を介して映像復調部１８に入力される。映像復調部１８では暗号を解読した後圧縮を解いたコンテンツの映像信号をアナログ信号に復調し、このコンテンツの映像アナログ信号を第４のインターフェース１９を介して表示部（図示せず）に出力される。前記磁気ディスク装置、信号制御部１４、鍵制御部１６、及び映像復調部１８は同一の例えば箱等の筐体２０の内部に配設される。前記信号制御部１４、鍵制御部１６、及び映像復調部１８はチップあるいは回路として実装される。第４のインターフェース１９までの信号はすべて容易には外部から触れない筐体２０の中で処理される。もし不正を行おうとする場合はこの筐体２０を開放しなければならないが、記録媒体１１の磁気ディスクはヘッド１２と数十ナノメートルという間隔で離れていなければならないため、ゴミのない非常にクリーンな環境でなければ開放できない。もし、通常の環境で開放された場合はクラッシュという現象を起こし、それ以降記録再生が不可能になる。またより積極的に磁気ディスク装置の記録再生を不可能にするためには、筐体２０を開放した途端、ヘッド１２が通常位置からずれる機構をもつようにしてもよい。
【００１１】
図２は本発明の実施形態例に係る磁気ディスク装置を示す構成説明図である。すなわち、ヘッド１２のヘッド部２１は筐体２０に接続部２２で接続されている。２３はヘッド１２のジンバル部である。ここで筐体２０を開放しようとすると筐体２０に接続されている接続部２２によりヘッド部２１に移動などの影響が出る。これにより以降の記録再生が不可能になる。図２ではあたかも記録媒体１１とヘッド１２が一つしかないように書かれているが、実際には複数ある場合もある。その場合でも接続部２２は有効である。直接ヘッド部２１に接続することが不可能であればそれを支えるジンバル部２３に接続されていても同じ効果が得られる。
【００１２】
このように、予め暗号の鍵を取得して暗号化されたコンテンツの信号を解読する鍵制御部を磁気ディスク装置と同一筐体内に設け、筐体を開放すると記録媒体の記録再生が行えなくなるようにすることにより、鍵が筐体外にさらされることがなく、解読されたコンテンツの信号が筐体外に出ないことにより容易に不正コピーの抑止を実現できる。
【００１３】
図３は本発明の実施形態例に係る蓄積システムを通信放送融合サービスのビジネスモデルに応用した例を示す説明図である。すなわち、コンテンツ配信事業会社３１はメタデータデータベース（ＤＢ）を有してメタデータ管理サービスを行なうと共に、地域ＩＰ網、アクセス網３２を用いてコンテンツ配信サービスを行なう。コンテンツ配信事業会社３１は放送局３３、広告マーケティングを行う広告会社３４、メタデータデータベース（ＤＢ）を有しコンテンツ資産管理（Ａｓｓｅｔ　Ｍａｎａｇｅｍｅｎｔ）を行うコンテンツ制作会社３５とメタデータの通信を行う。放送局３３はコンテンツ配信事業会社３１にコンテンツ配送手数料を払ってコンテンツを供給し、広告会社３４はコンテンツ配信事業会社３１にマーケティング料を払ってコンテンツを供給し、コンテンツ制作会社３５はコンテンツ配信事業会社３１に資産管理手数料を払ってコンテンツを供給する。コンテンツ配信事業会社３１はユーザ３６とメタデータの通信を行い、ユーザ３６にコンテンツを提供すると共にユーザ３６からコンテンツ配信利用料を徴収する。尚、ユーザ３６は放送局３３にコンテンツ利用料を支払う場合もある。
【００１４】
コンテンツ配信事業会社３１からユーザ３６に提供されたコンテンツはゲートウエイ３７を介してＳＴＢ（Ｓｅｔ　Ｔｏｐ　Ｂｏｘ）またはＰＤＲ（Ｐｅｒｓｏｎａｌ　Ｄｉｇｉｔａｌ　Ｒｅｃｏｒｄｅｒ）３８に入力され、本発明の実施形態例に係る蓄積システム３９に記録される。この場合、蓄積システム３９はユーザプロファイル（ログ情報）としても使用される。蓄積システム３９に記録されたコンテンツを再生する場合はパソコン（ＰＣ）４０を用いて行われる。
【００１５】
【発明の効果】
以上述べたように本発明によれば、暗号化されて蓄積されているコンテンツの解読において、外部からは容易に解読された信号にアクセスすることが困難な方式を内包した磁気ディスク装置であり、コンテンツを安全に蓄積することを実現し、蓄積を前提としたコンテンツ配信サービスに用いられるものである。
【図面の簡単な説明】
【図１】本発明の実施形態例に係る蓄積システムを示す構成説明図である。
【図２】本発明の実施形態例に係る磁気ディスク装置を示す構成説明図である。
【図３】本発明の実施形態例に係る蓄積システムを通信放送融合サービスのビジネスモデルに応用した例を示す説明図である。
【符号の説明】
１１　記録媒体
１２　ヘッド
１３　第１のインターフェース
１４　信号制御部
１５　第２のインターフェース
１６　鍵制御部
１７　第３のインターフェース
１８　映像復調部
１９　第４のインターフェース
２０　筐体
【図１】
2004118975.tif 000003
【図２】
2004118975.tif 000004
【図３】
2004118975.tif 000005